(57)【要約】【課題】リードイン領域或いはリードアウト領域に上記副情報信号を記録する記録動作を含む記録処理動作全体に要する時間を低減することができる情報記録装置を提供する。【解決手段】光ディスク１に主情報信号と副情報信号とを記録する情報記録装置Ｓであって、主情報信号を主情報記録領域に、副情報信号をリードイン領域及びリードアウト領域に、夫々記録するピックアップ２と、ピックアップ２を移送するスライダ３と、ピックアップ２が主情報信号を記録していない空き時間にピックアップ２を移送すると共に副記録情報信号を記録せしめるＣＰＵ１７と、を有し、ＣＰＵ１７は、リードアウト領域の内周位置から内周に主情報記録領域に副情報信号を記録せしめるようピックアップ２並びにスライダ３を制御する。【選択図】図１
2007242229.tif 000002
【特許請求の範囲】
【請求項１】
情報記録媒体に主情報信号と副情報信号とを記録する情報記録装置であって、
前記主情報信号を主情報記録領域に、前記副情報信号を予め決められたリードイン領域及びリードアウト領域に、夫々記録する記録手段と、
当該記録手段を移送する移送手段と、
前記記録手段が前記主情報信号を記録していない空き時間に前記記録手段を移送すると共に前記副記録情報信号を記録せしめる制御手段と、
を有し、
前記制御手段は、前記リードアウト領域の内周位置から内周に前記主情報記録領域に副情報信号を記録せしめるよう前記記録手段並びに移送手段を制御することを特徴とする情報記録装置。
【請求項２】
前記制御手段は、前記リードアウト領域への副情報信号の記録が終了した後、主情報記録領域への副情報の記録を行うことを特徴とする請求項１に記載の情報記録装置。
【請求項３】
前記制御手段は、前記副情報信号を記録して前記リードイン領域又はリードアウト領域を形成する際、前記記録手段によって前記副情報信号が記録されている最終記録位置を更新せしめることを特徴とする請求項１又は２に記載の情報記録装置。
【請求項４】
前記制御手段は、前記副情報信号を記録して前記リードイン領域又はリードアウト領域を形成する際、前記記録手段によって前記副情報信号が記録されている最終記録位置を認識せしめることを特徴とする請求項１又は２に記載の情報記録装置。
【請求項５】
前記制御手段は、前記リードイン領域に記録されるべき前記副情報信号が全て記録されたか、又は前記リードアウト領域に記録されるべき前記副情報信号が全て記録されたかを認識する認識手段を有することを特徴とする請求項１乃至４のいずれか一項に記載の情報記録装置。
【請求項６】
主情報信号の記録が行われない期間を前記空き時間として検出する検出手段を更に備えることを特徴とする請求項１から５のいずれか一項に記載の情報記録装置。
【請求項７】
主情報信号の読取が行われない期間を前記空き時間として検出する検出手段を更に備えることを特徴とする請求項１から５のいずれか一項に記載の情報記録装置。
【請求項８】
前記制御手段は、指示信号が供給されない状態を前記空き時間が発生したものと見なすことを特徴とする請求項１から７のいずれか一項に記載の情報記録装置。
【請求項９】
情報記録媒体に主情報信号と副情報信号とを記録する情報記録方法であって、
前記主情報信号を主情報記録領域に、前記副情報信号を予め決められたリードイン領域及びリードアウト領域に、夫々記録する記録手段を移送する移送工程と、
前記記録手段が前記主情報信号を記録していない空き時間に前記記録手段を移送すると共に前記副記録情報信号を記録せしめる制御工程と、
を有し、
前記制御工程は、前記リードアウト領域の内周位置から内周に前記主情報記録領域に副情報信号を記録せしめるよう前記記録手段を移送するように制御することを特徴とする情報記録方法。
【請求項１０】
前記制御工程においては、前記リードアウト領域への副情報信号の記録が終了した後、主情報記録領域への副情報の記録を行うことを特徴とする請求項９に記載の情報記録方法。
【請求項１１】
前記制御工程においては、前記副情報信号を記録して前記リードイン領域又はリードアウト領域を形成する際、前記記録手段によって前記副情報信号が記録されている最終記録位置を更新せしめることを特徴とする請求項９又は１０に記載の情報記録方法。
【請求項１２】
前記制御工程においては、前記副情報信号を記録して前記リードイン領域又はリードアウト領域を形成する際、前記記録手段によって前記副情報信号が記録されている最終記録位置を認識せしめることを特徴とする請求項９又は１０に記載の情報記録方法。
【請求項１３】
前記制御工程においては、前記リードイン領域に記録されるべき前記副情報信号が全て記録されたか、又は前記リードアウト領域に記録されるべき前記副情報信号が全て記録されたかを認識する認識手段を有することを特徴とする請求項９乃至１２のいずれか一項に記載の情報記録方法。
【請求項１４】
主情報信号の記録が行われない期間を前記空き時間として検出する検出工程を更に備えることを特徴とする請求項９から１３のいずれか一項に記載の情報記録方法。
【請求項１５】
主情報信号の読取が行われない期間を前記空き時間として検出する検出工程を更に備えることを特徴とする請求項９から１３のいずれか一項に記載の情報記録方法。
【請求項１６】
前記制御工程においては、指示信号が供給されない状態を前記空き時間が発生したものと見なすことを特徴とする請求項９から１５のいずれか一項に記載の情報記録方法。
【発明の詳細な説明】
【技術分野】
【０００１】
本願は、相変化光ディスクに代表される記録可能な情報記録媒体に情報信号を記録する情報記録装置に関する。
【背景技術】
【０００２】
一般的に、再生専用の光ディスクには、再生するべき主情報となるビデオ情報や音楽情報等の主情報信号が記録された主情報記録領域の他に、かかる主情報記録領域の内外周部分に当該主情報記録領域を挟むように、副情報領域であるリードイン領域とリードアウト領域とが形成されている。例えば、ＤＶＤ（Digital Verastile Disc）の場合、図７に示される通り、直径４８ｍｍ乃至１１６ｍｍが主情報記録領域であり、直径４６ｍｍ乃至４８ｍｍがリードイン領域、さらに直径１１６ｍｍ乃至１１７ｍｍがリードアウト領域とされている。
【０００３】
リードイン領域並びにリードアウト領域は、通常、ディスク上の主情報記録領域を最大限利用可能とするべく、つまり、主情報記録領域の最内周トラックから最外周トラックまで記録された主情報信号の読取りを可能とするべく設けられている。
【０００４】
すなわち、主情報信号を最内周トラックまたは最外周トラックから読取るためには、読取用光ビームがかかる最内周トラックまたは最外周トラックを照射するように、当該読取用光ビームを発生するピックアップの移送制御を行うが、かかる移送制御を行う際に、外乱等の影響で主情報記録領域の最内周トラックのさらに内周側あるいは最外周トラックのさらに外周側にまで移送されてしまう場合がある。このような場合、ピット列である情報トラックが形成されていない領域、つまり、鏡面の状態にある領域に光ビームが照射されると、移送制御に必要なエラー信号（例えばトラッキングエラー信号）が得られなくなり、最悪の場合、移送制御が不能な状態、つまり、ピックアップが暴走する状態に陥る畏れがある。
【０００５】
そこで、上述したように外乱等により主情報記録領域の最内周トラック或いは最外周トラックを越えて移送された場合であっても、移送制御が不能な状態に陥ることが無いように、主情報記録領域の最内周トラックから更に内周側と最外周トラックの更に外周側の両側に所定の範囲（例えば上記ＤＶＤの場合、１０００乃至５００μｍ以上）に亘ってピット列、つまり、情報トラックを形成するのである。
【０００６】
リードイン領域並びにリードアウト領域を形成する上記情報トラックには、リードイン領域或いはリードアウト領域で有ることを示す特異信号が、かかる両領域のピット列を形成する副情報信号として記録される。また、光ディスクの種類によっては、リードイン領域には、主情報記録領域に記録される主情報信号に関わる目次情報や或いはディスクの属性情報（再生専用ディスク／記録可能ディスク等）等が上記特異信号と併せて副情報信号として記録される。
【０００７】
ところで、記録可能な光ディスク（使用者が任意の主情報信号を記録することが可能な光ディスク）には、通常、記録用の光ビームを記録用トラック（例えば、グルーブトラック）に導くガイドトラック（例えば、ランドトラック）と、ディスク上の位置情報（アドレス）等のプリ情報がプリピット等の形態で予め記録されている。そして、記録装置は、かかるガイドトラックとプリピットとからディスク上の所定の位置にある記録用トラックを検索することにより、検索した上記所定の位置にある記録用トラックに記録用光ビームを照射して所望の主情報信号を記録することができる。上記ガイドトラック並びにプリピットは再生専用ディスクにおけるリードイン領域並びにリードアウト領域に相当する領域にも形成されており、記録装置は、かかる領域にリードインあるいはリードアウトを示す上記特異信号を記録することになっている。記録可能な光ディスクに対して再生専用ディスクのごときリードイン領域並びにリードアウト領域を形成するのは、再生専用ディスクを再生する再生装置で記録可能ディスクも再生することができるように、再生専用ディスクとのフォーマット上の整合性を保つ必要があるからである。
【０００８】
また、再生装置は、情報トラックがピット列によって形成されていることを前提にトラッキング方法等が選定されているから、選定されたトラッキング方法によっては、ガイドトラックでは読取ビームの記録トラックへの誘導が行えなくなる場合がある。例えば、トラッキング方法として、読取ビームがトラックを横切った際に得られる情報トラックを形成する各ピットからの反射光成分の位相差に基づいてエラー信号を得る時間差法が選定されていると、トラッキング制御部から見れば、上記記録用トラックにピット列が形成されないかぎり、かかる記録用トラックは上述したミラー部と等化であり、トラッキングエラー信号は得られない。
【０００９】
そこで、記録可能な光ディスクに主情報信号を記録する従来の情報記録装置では、主情報信号の記録用トラックへの記録が終了した後、最終処理工程として、リードイン領域並びにリードアウト領域にピックアップを移送して、上述した特異信号或いは属性情報等の副情報信号を担うピット列を形成していた。したがって、本来記録するべき主情報信号の記録工程とは別に、副情報信号を記録する工程が別途必要であり、その分記録処理に時間がかかるという問題があった。
【発明の開示】
【発明が解決しようとする課題】
【００１０】
本願発明は、上記問題点に鑑みてなされたもので、その目的とするところは、リードイン領域或いはリードアウト領域に上記副情報信号を記録する記録動作を含む記録処理動作全体に要する時間を低減することができる情報記録装置及び情報記録方法を提供することにある。
【課題を解決するための手段】
【００１１】
上記課題を解決するために請求項１に記載の発明は、情報記録媒体に主情報信号と副情報信号とを記録する情報記録装置であって、前記主情報信号を主情報記録領域に、前記副情報信号を予め決められたリードイン領域及びリードアウト領域に、夫々記録する記録手段と、当該記録手段を移送する移送手段と、前記記録手段が前記主情報信号を記録していない空き時間に前記記録手段を移送すると共に前記副記録情報信号を記録せしめる制御手段と、を有し、前記制御手段は、前記リードアウト領域の内周位置から内周に前記主情報記録領域に副情報信号を記録せしめるよう前記記録手段並びに移送手段を制御することを特徴とする。
【００１２】
上記課題を解決するために、請求項９に記載の発明は、情報記録媒体に主情報信号と副情報信号とを記録する情報記録方法であって、前記主情報信号を主情報記録領域に、前記副情報信号を予め決められたリードイン領域及びリードアウト領域に、夫々記録する記録手段を移送する移送工程と、前記記録手段が前記主情報信号を記録していない空き時間に前記記録手段を移送すると共に前記副記録情報信号を記録せしめる制御工程と、を有し、前記制御工程は、前記リードアウト領域の内周位置から内周に前記主情報記録領域に副情報信号を記録せしめるよう前記記録手段を移送するように制御することを特徴とする。
【発明の効果】
【００１３】
本願によれば、主情報信号の記録媒体への記録動作、あるいは記録媒体からの再生動作に伴う空き時間を検出して、かかる空き時間にリードイン領域／リードアウト領域に副情報信号を記録する構成としたので、見掛け上主情報信号の記録動作、あるいは主情報信号の再生動作と並行して副情報信号の記録動作を行わしめることができるので、主情報信号の記録動作あるいは再生動作に関わる全体の時間を低減することができ、したがって、情報記録装置の利便生を向上できるという効果がある。
【発明を実施するための最良の形態】
【００１４】
次に、図面を用いて本願の好ましい実施の形態について説明する。なお、以下に説明する実施の形態は、光学的に情報の記録及び再生が可能なディスク状の記録媒体（以下、単に光ディスクと称する。）に対して情報の記録及び再生が可能な情報記録装置に対して本願を適用した場合の実施の形態である。
【００１５】
始めに、図１を用いて、本願の実施の形態に係る情報記録装置の構成について説明する。
【００１６】
図１に示すように実施の形態の情報記録装置Ｓは、記録手段及び／または読取手段としてのピックアップ２と、移送手段としてのスライダ３と、Ａ／Ｄ（アナログ／ディジタル）コンバータ４と、加工手段を構成する圧縮回路５、記録バッファメモリ６、エンコーダ８並びに記録回路９と、リードイン領域及びリードアウト領域に記録される上述した副情報信号を記憶したメモリ７と、再加工手段を構成する再生回路１０、デコーダ１１、再生バッファメモリ１２並びに伸長回路１３と、Ｄ／Ａ（ディジタル／アナログ）コンバータ１４と、記録可能な光ディスク１に予め記録されているアドレス情報を抽出するアドレス抽出器１５と、スピンドルモータ１６と、検出手段並びに制御手段としてのＣＰＵ１７と、サーボ回路１８と、操作部１９と、表示部２０とにより構成されている。
【００１７】
次に各構成部材個々のこの発明に関わる概要動作を説明する。始めに、外部からの記録すべき情報を、記録媒体としての光ディスク１に記録する場合について説明する。
【００１８】
外部から記録すべき情報（当該記録すべき情報としては、具体的には画像情報または音声情報或いはその双方が含まれる。）に対応する情報信号Ｓin（アナログ信号）が予め設定された入力レートＭrで入力されてくると、Ａ／Ｄコンバータ４は当該情報信号Ｓinをディジタル化し、ディジタル情報信号Ｓdを生成して圧縮回路５へ出力する。
【００１９】
そして、圧縮回路５は、ＣＰＵ１７から出力されている制御信号Ss5に基づいて、入力されてくるディジタル情報信号Ｓdを圧縮し、主情報信号である圧縮情報信号Ｓpdを生成して記録バッファメモリ６へ出力する。このとき、当該ディジタル情報信号Ｓdを圧縮する際には、例えば、ＭＰＥＧ２（Moving Picture coding Experts Group ２）方式等の圧縮方式が用いられる。
【００２０】
次に記録バッファメモリ６は、入力されてくる圧縮情報信号Ｓpdをそのまま一時的に記憶する。このとき、当該記録バッファメモリ６は蓄積された圧縮情報信号Ｓpdのデータ量を示すデータ量信号Ｓmrを常にＣＰＵ１７に出力している。
【００２１】
次に、エンコーダ８は、ＣＰＵ１７から出力されている制御信号Ss4に基づいて、一時的に記録バッファメモリ６に記憶されている圧縮情報信号Ｓpd、またはメモリ７に記憶されている副情報信号Ｓcdを上記情報信号Ｓinの入力レートＭr、または、それよりも高い記録レートＲrで読み出し、これをエンコード（符号化）してエンコード信号Ｓedを生成して記録回路９へ出力する。
【００２２】
そして、記録回路９は、ＣＰＵ１７から出力されている制御信号Ss2に基づいて、入力されてくるエンコード信号Ｓedを記録信号Ｓrに変換し、ピックアップ２へ出力する。このとき記録回路９においては、記録するべき情報に正確に対応した形状のピットを後述の光ディスク１上に形成するべく、エンコード信号Ｓedに対していわゆるライトストラテジ処理等が施される。
【００２３】
次に、ピックアップ２は、ＣＰＵ１７から出力されている制御信号Ss７に基づいて、スライダモータ３を介して光ディスク１の所定の領域（主情報記録領域またはリードイン／リードアウト領域）への移送制御を受ける。さらに、ピックアップ２は、記録回路９から出力されている記録信号Ｓrに基づいて、当該ピックアップ２内の図示しない半導体レーザ等の光源を駆動して光ビームＢを生成して、これを光ディスク１の上記所定の領域の情報記録面に照射し、当該記録信号Ｓrに対応するピットを形成することにより上記記録レートＲrに対応する速度で情報信号Ｓinまたは副情報信号Ｓcdを光ディスク１上に記録する。このとき、当該光ディスク１は、後述するスピンドル制御信号Ｓsmに基づいて駆動されるスピンドルモータ１６により所定の回転数で回転されている。なお、当該光ディスク１上では、例えば、相変化方式により記録信号Ｓrに対応するピットが形成されて情報信号Ｓinが記録される。
【００２４】
次に、光ディスク１に記録されている情報を再生する場合の動作について説明する。再生時においては、先ず、スライダ３によって光ディスク１の所定の領域に移送されたピックアップ２が再生用の光ビームＢを回転する光ディスク１に照射し、その反射光に基づいて光ディスク１に形成されているピットに対応する検出信号Ｓpを検出レートＲpで生成し、再生回路１０並びにアドレス抽出器１５に出力する。
【００２５】
次に、再生回路１０は、ＣＰＵ１７から出力されている制御信号Ss３に基づいて、出力された検出信号Ｓpを所定の増幅率で増幅すると共にその波形を整形し、再生信号Ｓprを生成してデコーダ１１に出力する。
【００２６】
そして、デコーダ１１は、ＣＰＵ１７から出力されている制御信号Ss3に基づいて、上記エンコーダ８におけるエンコード方式に対応するデコード（復号）方式により再生信号Ｓprをデコードし、デコード信号Ｓddを生成して上記検出レートＲpに対応する速度で再生バッファメモリ１２へ出力する。
【００２７】
再生バッファメモリ１２は、入力されてくるデコード信号Ｓddをそのまま一時的に記憶する。このとき、当該再生バッファメモリ１２は蓄積されたデコード信号Ｓddのデータ量を示すデータ量信号Ｓmpを常にＣＰＵ１７に出力している。
【００２８】
伸長回路１３は、ＣＰＵ１７から出力されている制御信号Ss６に基づいて、一時的に再生バッファメモリ１２に記憶されているデコード信号Ｓddを上記検出信号Ｓpの検出レートＲp、または、それよりも低い出力レートＭpで読み出し、当該読み出したデコード信号Ｓddに対して上記圧縮回路５における圧縮処理に対応する伸長処理を施し、伸長信号Ｓoを生成してＤ／Ａコンバータ１４に出力する。
【００２９】
そして、Ｄ／Ａコンバータ１４は、伸長信号Ｓoをアナログ化し、上記情報信号Ｓinに対応する出力信号Ｓoutを生成して外部に出力する。
【００３０】
アドレス抽出器１５は、ＣＰＵ１７から出力されている制御信号Ss８に基づいて、出力された検出信号Ｓpをデコードすることによってプリ情報であるディスク１上のアドレス情報信号Ｓdaを取得し、ＣＰＵ１７に出力する。
【００３１】
以上説明した情報記録及び情報再生の動作に伴って、ＣＰＵ１７は上記データ量信号Ｓmp又はＳmrに基づいて、後述のフローチャートで示す処理を実行するように上記各制御信号Ｓs1乃至Ｓs8を夫々出力する。このとき、操作部１９は、使用者等により為された操作に対応する指示信号ＳcをＣＰＵ１７に出力し、当該指示信号Ｓcに基づいてＣＰＵ１７が上記各制御信号Ｓs1乃至Ｓs８を夫々出力する。
【００３２】
これと並行して、ＣＰＵ１７は、スピンドルモータ１６及びピックアップ２をサーボ制御するための制御信号Ｓs９を生成してサーボ回路１８に出力し、当該サーボ回路１８は、制御信号Ｓs９に基づいてスピンドルモータ１６の回転を制御するための上記スピンドル制御信号Ｓsmを生成して、当該スピンドルモータ１６に出力すると共に、ピックアップ２におけるいわゆるトラッキングサーボ制御及びフォーカスサーボ制御のためのピックアップ制御信号Ｓspを生成して当該ピックアップ２に出力する。そして、ピックアップ２は当該ピックアップ制御信号Ｓspに基づき、光ビームＢに対してトラッキングサーボ制御及びフォーカスサーボ制御を施しつつ上記記録信号Ｓrの記録又は検出信号Ｓpの検出を行う。
【００３３】
なお、上述した情報記録再生装置Ｓの動作を使用者が制御するために必要な情報は、ＣＰＵ１７からの表示信号Ｓdpに基づいて表示部２０に表示される。
【００３４】
次に、上記構成を有する情報記録装置Ｓにおける本願に係る記録再生動作について図２乃至図４を用いて説明する。
【００３５】
まず、ＣＰＵ１７は、情報記録装置Ｓの図示しないターンテーブル上に光ディスク１が載置されると、ピックアップ２をリードイン領域の開始位置近傍にまで移送して、読取ビームを照射する。そして、光ディスクからの反射光に副情報信号を担うＲＦ信号成分が含まれているか否かを判定し、ＲＦ信号が含まれている場合には、リードイン領域並びにリードアウト領域における副情報信号の読取りを行わせしめ、各領域における副情報信号が記録されている最終記録位置（最終記録アドレス）を副情報信号記録情報としてＣＰＵ１７の図示しない内部ＲＡＭに記憶する。一方、ＲＦ信号が含まれていない場合には、一度も記録されたことの無い未記録のディスクが載置されているとして、リードイン領域／リードアウト領域の各開始アドレスを、上記最終記録アドレスとして上記内部ＲＡＭに記憶する（ステップＳ１）。
【００３６】
次に、ＣＰＵ１７は、操作部１９を介して使用者から動作モードを指定する指示信号Ｓcが供給されているか否かを判定し、指示信号Ｓcが供給されていない場合には（ステップＳ２；ｎｏ）、ステップＳ３に移行して、ステップＳ１で記憶した副情報信号記録情報、つまり、リードイン領域及びリードアウト領域の各領域に記録された副情報信号の最終記録アドレスが、リードイン領域及びリードアウト領域の各最終アドレスより小か否かを判定する（ステップＳ３）。ステップＳ３において、リードイン領域／リードアウト領域に副情報信号の未記録領域が存在する、つまり、上記最終記録アドレスが上記最終アドレスより小である場合には（ステップＳ３；ｙｅｓ）、ピックアップ２を副情報信号記録情報が示すリードイン領域またはリードアウト領域内の最終記録アドレスの次のアドレスに移送するべく制御信号Ss７をスライダ３に出力する（ステップＳ４）。
【００３７】
次いでＣＰＵ１７は、メモリ７に記憶された副情報信号をエンコーダ８をして符号化せしめるように制御信号Ss４を出力すると共に、制御信号Ss２を出力してエンコーダ８から出力されたエンコード信号Ｓedを記録信号Ｓrに変換せしめて、ステップＳ４でピックアップ２を移送したディスク上の位置（リードイン領域或いはリードアウト領域における最終記録アドレスの次のアドレス、すなわち、副情報信号の追記位置）から、副情報信号を単位ブロック（例えば、一つのＥＣＣ（Error Collecting Code）ブロックと等しいデータ量）分記録せしめる（ステップＳ５）。
【００３８】
次いで、ＣＰＵ１７は、内部メモリの副情報信号記録情報をステップＳ５の実行に基づく新たな最終記録アドレスで更新し、ステップＳ２に移行する（ステップＳ６）。
【００３９】
一方、ステップＳ３において、リードイン領域／リードアウト領域に副情報信号の未記録領域が存在しない、つまり、上記最終記録アドレスが上記最終アドレスより小で無い場合（等しい場合）には（ステップＳ３；ｎｏ）、既にリードイン領域並びにリードアウト領域には全域に亘って副情報信号が記録された状態にあるので、新たな動作の指示に備えるべくステップＳ２に移行する。
【００４０】
以上のように、情報記録装置Ｓに指示信号Scが供給されていない場合には、情報記録装置Ｓが主情報信号の記録動作並びに再生動作の待機状態にあると判断して、リードイン領域並びにリードアウト領域に副情報信号の記録を行うのである。つまり、情報記録装置Ｓは操作部２０から何等指示信号が供給されない状態を空き時間が発生したものと見なして、かかる空き時間に副情報信号の記録を行うのである。
【００４１】
なお、内部ＲＡＭに記憶される副情報信号記録情報は、光ディスク１が情報記録装置Ｓからイジェクトされるたびにクリアされる。
【００４２】
次に、ステップＳ２において、操作部１９から指示信号Ｓcが供給されている場合には、かかる指示信号Ｓcが指示する動作が情報記録動作であるか否かを判定し（ステップＳ７）、情報記録動作であるときには（ステップＳ７；ｙｅｓ）、後述する情報記録処理（ステップＳ８）に移行する。
【００４３】
一方、ステップＳ７において情報記録動作ではないと判定された場合には（ステップＳ７；ｎｏ）、指示信号Ｓcが指示する動作が情報再生動作であるか否かを判定する（ステップＳ９）。
【００４４】
ステップＳ９において、情報再生動作であると判定した場合には（ステップＳ９；ｙｅｓ）、後述する情報再生処理（ステップＳ１０）に移行する。
【００４５】
一方、ステップＳ９において、指示信号Ｓcが指定する動作が情報再生動作でない場合には、対応する動作は行なえないとして表示部にエラー表示を行うと共に、新たなる指示信号Ｓcの到来に備えるべくステップＳ２に移行する。
【００４６】
次に、指示信号Ｓcが情報記録動作を指示した場合の処理動作について、図３を用いて説明する。
【００４７】
上記ステップＳ７において、ＣＰＵ１７は、指示信号Ｓcが情報記録動作を指示すると判断した場合には（ステップＳ７；ｙｅｓ）、制御信号Ss5を出力して記録すべき情報信号ＳinのＡ／Ｄ変換及び圧縮処理を入力レートＭrに対応する速度で行わせしめ、圧縮情報信号Ｓpdを記録バッファメモリ６に蓄積する（ステップＳ８０１）。
【００４８】
次に、ＣＰＵ１７は、記録バッファメモリ６からのデータ量信号Ｓmrに基づいて、当該記録バッファメモリ６の蓄積データ量が予め設定された第１の所定量以上となったか否かを判定する（ステップＳ８０２）。そして、記録バッファメモリ６の蓄積データ量が第１の所定量以上であるときは（ステップＳ８０２；ｙｅｓ）、制御信号Ss7をスライダ3に出力して、記録するべき記録信号Ｓrを記録する光ディスク１上の位置（アドレス）を検索し、当該検索した位置に光ビームＢの光スポットを移動せしめる（ステップＳ８０３）。
【００４９】
そして、制御信号Ss４をエンコーダ８に出力して、予め設定されている第２の所定量の圧縮情報信号Ｓpdを記録バッファメモリ６から読み出して、かかる圧縮情報信号Spdに対するエンコード信号Ｓedを生成せしめると共に、制御信号Ss2を記録回路９に出力して、上記エンコード信号Sedに相当する記録信号Srを生成し、この記録信号Srをピックアップ２をして記録レートＲrで光ディスク１に記録せしめる（ステップＳ８０４）。
【００５０】
一方、ステップＳ８０２の判定において、記録バッファメモリ６の蓄積データ量が上記第１の所定量まで達していないと判定された場合には（ステップＳ８０２；ｎｏ）、情報信号Ｓinに対応する記録信号Ｓrの記録を一時中断すると共に、内部メモリに記憶されている副情報信号記録情報、つまり、リードイン領域及びリードアウト領域の各領域に記録された副情報信号の最終記録アドレスが、リードイン領域及びリードアウト領域の各最終アドレスより小か否かを判定する（ステップＳ８０５）。
【００５１】
ステップＳ８０５において、リードイン領域／リードアウト領域に副情報信号の未記録領域が存在しない、つまり、上記最終記録アドレスが上記最終アドレスと等しい場合には（ステップＳ８０５；ｎｏ）、ステップＳ８０２に戻り、記録バッファメモリの蓄積データ量が第１の所定量となるまで、記録動作の中断状態を継続する。
【００５２】
一方、ステップＳ８０５において、リードイン領域／リードアウト領域に副情報信号の未記録領域が存在する、つまり、上記最終記録アドレスが上記最終アドレスより小である場合には（ステップＳ８０５；ｙｅｓ）、ピックアップ２を副情報信号記録情報に基づくリードイン領域或いはリードアウト領域の副情報信号の追記位置に移送せしめる（ステップＳ８０６）。
【００５３】
次いで、ＣＰＵ１７は、エンコーダ８に対して、記録バッファメモリ６から出力される圧縮情報信号Ｓpdに代えて副情報信号メモリ７から出力される単位ブロック（例えば、一つのＥＣＣブロックと等しいデータ量）分の副情報信号をエンコードせしめるべく制御信号Ss４を出力すると共に、記録回路９に制御信号Ss２を出力してエンコーダ８から出力された副情報信号に対応するエンコード信号Ｓedを記録信号Ｓrに変換して、ステップＳ８０６でピックアップ２を移送したディスク上の位置（リードイン領域或いはリードアウト領域）に、記録せしめる（ステップＳ８０７）。
【００５４】
そして、ＣＰＵ１７は、内部メモリの副情報信号記録情報をステップＳ８０７の実行に基づいて変化した新たな最終記録アドレスで更新し、再びステップＳ８０２に移行する（ステップＳ８０８）。
【００５５】
上記ステップＳ８０６乃至ステップＳ８０８によって、情報信号Ｓinに対応する圧縮情報信号Ｓpdが記録バッファメモリ６に第１の所定量蓄積されるまでの期間、つまり、本来ピックアップ２の情報信号の記録動作を待機せしめる期間を利用して、リードイン領域並びにリードアウト領域の形成が行われるのである。
【００５６】
なお、上記第１の所定量は、記録バッファメモリ６の容量Ｂrに基づいて、ステップＳ８０２における判定からステップＳ８０３におけるピックアップ２の移動までを完了して記録信号Ｓrの記録を開始するまでに圧縮情報信号Ｓpdが記録バッファメモリ６に上記入力レートＭrで蓄積され続けても当該記録バッファメモリ６が満杯にならない所定量とされている。また、上記第２の所定量は、上記第１の所定量と同じとしても良いし、または記録位置のサーチや記録信号Ｓrの記録中に新たに記録バッファメモリ６に蓄積される圧縮情報信号Ｓpdの量を勘案し、記録バッファメモリ６に蓄積される全ての圧縮情報信号Ｓpdを排出すべく第１の所定量よりも多い所定量としてもよい。
【００５７】
ステップＳ８０４を実行した後、ＣＰＵ１７は、全ての記録すべき情報（情報信号Ｓin）を記録したか否かを判定し（ステップＳ８０９）、全て記録されていないときは（ステップＳ８０９；ｎｏ）、再びステップＳ８０２に移行して全ての記録すべき情報が記録されるまで、上記ステップＳ８０２乃至ステップＳ８０９の動作を繰り返し実行する。
【００５８】
一方、ステップＳ８０９の判定において、全ての記録すべき情報が記録されたと判定された場合には（ステップＳ８０９；ｙｅｓ）、ステップＳ８１０に移行して、操作部１９から情報再生動作の指示がなされているか否かを判定する。このステップＳ８１０は、今記録した情報信号を直ちに確認する場合などに必要となる。ステップＳ８１０において、再生動作の指示がなされている場合には、記録処理を終了し、ステップＳ2（図２）に移行する。
【００５９】
一方、ステップＳ８１０の判定において、情報再生動作の指示がなされていない場合には（ステップＳ８１０；ｎｏ）、記録動作の最終処理を行なうべくステップＳ８１１に移行して、内部メモリに記憶されている副情報信号記録情報、つまり、リードイン領域及びリードアウト領域の各領域に記録された副情報信号の最終記録アドレスが、リードイン領域及びリードアウト領域の各最終アドレスより小か否かを判定する（ステップＳ８１１）。
【００６０】
ステップＳ８１１において、リードイン領域／リードアウト領域に副情報信号の未記録領域が存在する、つまり、上記最終記録アドレスが上記最終アドレスより小である場合には（ステップＳ８１１；ｙｅｓ）、ピックアップ２を副情報信号記録情報が示すリードイン領域またはリードアウト領域内の追記位置に移送するべく制御信号Ss７をスライダモータ３に出力する（ステップＳ８１２）。
【００６１】
次いでＣＰＵ１７は、メモリ７に記憶された副情報信号をエンコーダ８をして符号化せしめるように制御信号Ss４を出力すると共に、制御信号Ss２を出力してエンコーダ８から出力されたエンコード信号Ｓedを記録信号Ｓrに変換せしめて、ステップＳ８１２でピックアップ２を移送したディスク上の追記位置（リードイン領域或いはリードアウト領域）に、副情報信号を記録せしめる（ステップＳ８１３）。
【００６２】
次いで、ＣＰＵ１７は、内部メモリの副情報信号記録情報をステップＳ８１３の実行に基づく新たな最終記録アドレスで更新し、ステップＳ８１１に移行する（ステップＳ８１４）。
【００６３】
一方、ステップＳ８１１の判定において、リードイン領域／リードアウト領域に副情報信号の未記録領域が存在しない、つまり、上記最終記録アドレスが上記最終アドレスより小で無い場合（等しい場合）には（ステップＳ８１１；ｎｏ）、リードイン領域並びにリードアウト領域の全域に亘って副情報信号が記録された状態にあるので、情報記録処理を終了する。
【００６４】
次に、図３を用いて説明した情報記録処理動作を、記録バッファメモリ６の蓄積データ量の変化を中心として図４を用いて説明する。なお、図４は、情報記録が指示された場合の記録バッファメモリ６における蓄積データ量の変化を示すものであり、図４中のピックアップ２の状態を示す図のうち、網かけ領域で示されている時間帯は記録信号Ｓｒの記録が実行されており、白抜き領域で示されている時間帯は単位ブロック分の副情報信号の記録が実行されている。
【００６５】
時刻ｔ１で情報記録が指示されると（上記ステップＳ７参照）、記録バッファメモリ６への圧縮情報信号Ｓpdの蓄積を入力レートＭrで開始すると共に（上記ステップＳ８０１参照）、当該蓄積データ量が上記第１の所定量となる時刻ｔ２までの期間において、ピックアップ２を副情報信号記録情報が示すリードイン領域或いはリードアウト領域の追記位置に移送して、副情報信号メモリ７から出力される副情報信号に対応する記録信号Ｓrを記録する（上記ステップＳ８０６及びステップ８０７参照）。そして、蓄積データ量が第１の所定量となる時刻ｔ２において、それまでの副情報信号の記録動作を中断すると共に副情報信号記録情報を更新し（ステップＳ８０８参照）、新たな記録信号Ｓrの記録位置をサーチして、時刻ｔ３から記録信号Ｓrの記録を開始する（上記ステップＳ８０３乃びステップＳ８０４参照）。
【００６６】
そして、時刻ｔ４で上記第２の所定量だけ記録信号Ｓrの記録が終了すると、次に、再び副情報信号のリードイン領域またはリードアウト領域への記録を行うべく、副情報信号記録情報で示される次の記録位置にピックアップ２を移動し、時刻ｔ５から記録バッファメモリ６の蓄積データ量が第１の所定量以上となるまで（すなわち、時刻ｔ６まで）副情報信号の記録を行う。
【００６７】
そして、記録バッファメモリ６の蓄積データ量が第１の所定量以上となったとき以降、上記記録位置へのピックアップ２の移動及び情報信号Ｓinに対応する記録信号Ｓrの記録を行なう。
【００６８】
これ以後は、記録すべき情報信号Ｓinを全て記録し終わるまで、または、リードイン領域及びリードアウト領域に全て副情報信号が記録されるまで上述した動作が繰り返されることとなる。
【００６９】
なお、記録バッファメモリ６の蓄積データ量は、情報記録が指示されてから記録位置へのピックアップ２の移動が完了するまでの期間（すなわち、時刻ｔ１からｔ３までの期間）は、その蓄積データ量は入力レートＭrで増加し、次に実際に圧縮情報信号Ｓpdに対応する記録信号Ｓrが記録されているときは、その蓄積データ量は
Ｒ＝（入力レートＭr）−（記録レートＲr）
で示されるレートＲで減少する。そして、再度副情報信号の記録が再開されたとき、情報信号Ｓinの入力は継続されているので、その蓄積データ量は再び入力レートＭrで増加し、以後、この変化を繰り返す。
【００７０】
以上説明したように、実施形態の情報記録再生装置Ｓの動作によれば、外部か入力された情報信号Ｓinに対応する記録信号の記録を継続しつつ、記録バッファメモリ６の蓄積データ量に応じて、リードイン領域／リードアウト領域に副情報信号の記録が行なわれるので、情報再生装置Ｓ全体でみた場合、見掛け上、情報信号Ｓinの記録と副情報信号の記録を同時に進行させることができる。
【００７１】
次に、図２におけるステップＳ２において、指示信号Ｓcが情報再生動作を指示した場合の処理動作について、図５を用いて説明する。
【００７２】
なお、以下に説明する情報再生処理は、上記情報記録動作における情報信号の記録終了後（ステップＳ８０９；ｙｅｓ）における記録動作の最終処理（ステップＳ８１１乃至ステップS８１４）を実行しないうちに情報再生動作の指示がなされた場合、つまり、図３におけるステップＳ８１０において情報再生動作の指示が為されていると判定した場合（ステップＳ８１０；ｙｅｓ）であって、リードイン領域／リードインアウト領域の副情報信号の記録が完了していない状態があることも想定されている。
【００７３】
まず、図２のステップＳ９において、ＣＰＵ１７は、指示信号Ｓcが情報再生動作を指示すると判断した場合には（ステップＳ９；ｙｅｓ）、制御信号Ｓs1、Ｓs3、Ｓs6及びＳs7を出力して、再生すべき記録信号Ｓrが記録されている光ディスク１上の位置を検索し、当該検索した位置に光ビームBの光スポットを移動させて検出レートRpで検出信号Ｓpの生成を開始せしめると共に、生成された検出信号Spに対するデコーダ９によるデコードを開始せしめ、これを再生バッファメモリ１２に記憶せしめる。さらに、再生バッファメモリ１２に記憶されているデコード信号Ｓddを出力レートMpで読み出して伸長回路１３による伸長処理を行わしめる（ステップS１０１）。このステップＳ１０１により、上記検出レートＲpと出力レートMpとの差に対応する速度で再生バッファメモリ１２にデコード信号Sddが蓄積されていく。
【００７４】
次に、CPＵ１７は、再生バッファメモリ１２からのデータ量信号Smpに基づいて、当該再生バッファメモリ１２の空き容量が予め設定された第３の所定量以下となったか否かを判定する（ステップS１０２）。ここで、当該第３の所定量は、例えば、デコード信号Sddにおける一つのＥＣＣブロックと等しいデータ量とされる。
【００７５】
ステップS１０２の判定において、再生バッファメモリ１２の空き容量が上記第３の所定量以下となったときは（ステップＳ１０２；ｙｅｓ）、それ以上検出信号Spの生成を継続すると再生バッファメモリ１２が満杯になってしまうとしてピックアップ２による読み取り動作を一時的に中断すると共に中断した検出位置を内部メモリに記憶する（ステップＳ１０３）。
【００７６】
次いで、内部メモリに記憶されている副情報信号記録情報、つまり、リードイン領域及びリードアウト領域の各領域に記録された副情報信号の最終記録アドレスが、リードイン領域及びリードアウト領域の各最終アドレスより小か否かを判定する（ステップＳ１０４）。
【００７７】
ステップＳ１０４において、リードイン領域／リードアウト領域に副情報信号の未記録領域が存在しない、つまり、上記最終記録アドレスが上記最終アドレスと等しい場合には（ステップＳ１０４；ｎｏ）、ステップＳ１０２に戻り、再生バッファメモリの空き容量が上記第３の所定量より大となるまで、再生検出動作の中断状態を継続する。
【００７８】
一方、ステップＳ１０４において、リードイン領域／リードアウト領域に副情報信号の未記録領域が存在する、つまり、上記最終記録アドレスが上記最終アドレスより小である場合には（ステップＳ１０４；ｙｅｓ）、ピックアップ２を副情報信号記録情報に基づくリードイン領域或いはリードアウト領域の副情報信号の追記位置に移送せしめる（ステップＳ１０５）。
【００７９】
次いで、ＣＰＵ１７は、制御信号Ss４を出力して、エンコーダ８に対して、副情報信号を記憶したメモリ７から出力される単位ブロック分の副情報信号Scdをエンコードせしめると共に、記録回路９に制御信号Ss２を出力して、エンコーダ８から出力された副情報信号Scdに対応するエンコード信号Ｓedを記録信号Ｓrに変換せしめて、かかる記録信号ＳrをステップＳ１０５でピックアップ２を移送したディスク上の位置（リードイン領域或いはリードアウト領域）に記録せしめる（ステップＳ１０６）。
【００８０】
そして、ＣＰＵ１７は、内部メモリの副情報信号記録情報をステップＳ１０６の実行に基づいて変化した新たな最終記録アドレスで更新し、再びステップＳ１０２に移行する（ステップＳ１０７）。
【００８１】
一方、ステップS１０２の判定において、再生バッファメモリ１２の空き容量が上記第３の所定量以下でないときは（ステップＳ１０２；ｎｏ）、ステップＳ１０３で記憶した再生検出位置をサーチして（ステップＳ１０８）、引き続き記録信号Ｓrを検出せしめて検出信号Ｓpを生成させる（ステップＳ１０９）。
【００８２】
次に、ＣＰＵ１７は、すべての再生すべき情報を再生したか否かを判定し（ステップＳ１１０）、すべての情報の再生が完了しているときは（ステップＳ１１０；ｙｅｓ）、再生回路１０並びにデコーダ１１における検出動作を停止せしめた後、ステップＳ１１１に移行して、内部メモリに記憶されている副情報信号記録情報、つまり、リードイン領域及びリードアウト領域の各領域に記録された副情報信号の最終記録アドレスが、リードイン領域及びリードアウト領域の各最終アドレスより小か否かを判定する（ステップＳ１１１）。
【００８３】
ステップＳ１１１において、リードイン領域／リードアウト領域に副情報信号の未記録領域が存在する、つまり、上記最終記録アドレスが上記最終アドレスより小である場合には（ステップＳ１１１；ｙｅｓ）、ピックアップ２を副情報信号記録情報が示すリードイン領域またはリードアウト領域内の追記位置に移送する（ステップＳ１１２）。
【００８４】
次いでＣＰＵ１７は、制御信号Ss４を出力してメモリ７に記憶された副情報信号Ｓcdをエンコーダ８をして符号化せしめると共に、制御信号Ss２を出力してエンコーダ８から出力されたエンコード信号Ｓedを記録信号Ｓrに変換せしめて、ステップＳ１１２でピックアップ２を移送したディスク上の追記位置（リードイン領域或いはリードアウト領域）に、副情報信号を記録せしめる（ステップＳ１１３）。
【００８５】
次いで、ＣＰＵ１７は、内部メモリの副情報信号記録情報をステップＳ１１３の実行に基づく新たな最終記録アドレスで更新し、ステップＳ１１１に移行する（ステップＳ１１４）。
【００８６】
一方、ステップＳ１１１の判定において、リードイン領域／リードアウト領域に副情報信号の未記録領域が存在しない、つまり、上記最終記録アドレスが上記最終アドレスより小で無い場合（等しい場合）には（ステップＳ１１１；ｎｏ）、リードイン領域並びにリードアウト領域の全域に亘って副情報信号が記録された状態にあるので、情報再生処理を終了する。
【００８７】
次に、図５を用いて説明した上記情報再生処理動作を、再生バッファメモリ１２の蓄積データ量の変化を中心として図６を用いて説明する。なお、図６は、情報再生が指示された場合の再生バッファメモリ１０における蓄積データ量の変化を示すものであり、図６中のピックアップ２の状態を示す図のうち、網かけ領域で示されている時間帯は記録信号Ｓｒの検出が実行されており、白抜き領域で示されている時間帯は単位ブロック分の副情報信号の記録が実行されていることを示している。
【００８８】
時刻ｔｔ１において情報再生が指示されると、再生バッファメモリ１２（容量はＢpである。）の蓄積データ量は、
Ｒ＝（検出レートＲp）−（出力レートＭp）
で示されるレートＲで増加するように記録信号Ｓrの検出（検出レートＲp）を開始し、その後、空き容量が第３の所定量未満となった後の最初のＣＰＵ１７による上記ステップＳ１０２の判定タイミング（時刻ｔｔ２）において、記録信号Ｓrの検出が停止されるので、蓄積データ量は出力レートＭpで減少する。
【００８９】
このとき、ピックアップ２は副情報信号記録情報が示すリードイン領域或いはリードアウト領域の追記位置に移送されて、副情報信号メモリ７から出力される副情報信号に対応する記録信号Ｓrの記録が行われる（上記ステップＳ１０３乃びステップＳ１０４参照）。
【００９０】
その後、空き容量が上記第３の所定量以上となった後の最初のＣＰＵ１７によるステップＳ１０２の判定タイミング（時刻ｔｔ３）において、副情報信号の記録動作が中断されると共に副情報信号記録情報が更新され（ステップＳ１０7参照）、時刻ｔｔ２において停止された記録信号Ｓrの検出を再開するべく、検出位置をサーチして、時刻ｔｔ４から記録信号Ｓrの検出が再開される（上記ステップＳ１０８乃びステップＳ１０９参照）。そして、再び記録信号Ｓrの検出が開始されるので、蓄積データ量は上記レートＲで再び増加する。以後、この動作はリードイン領域及びリードアウト領域に全て副情報信号が記録されるまで繰り返されることとなる。
【００９１】
なお、上記説明では、リードアウト領域の開始位置を固定した例（図７に示す例では直径１１６ｍｍ以上がリードアウト領域である。）について説明したが、記録するべき主情報信号の情報量に応じてリードアウト領域の開始位置を異ならしめる事ができる場合においても、本願を適用することは可能である。つまり、主情報信号の情報量に応じて主情報記録領域の最外周位置、すなわちリードアウト領域の開始位置を設定し、かかる開始位置から主情報信号の記録動作の空き時間に副情報信号を記録するのである。この場合、光ディスクの記録容量を有効に利用するために、主情報信号の追記を行う際には、追記位置を先の記録で設定されたリードアウト領域の開始位置として、新たに追記する主情報信号の情報量に応じて、再度、リードアウト領域の開始位置を設定すれば良い。
【００９２】
また、主情報信号の記録動作に関わる上記空き時間に、リードアウト領域の全域に対する副情報信号の記録が完了した後においても主情報信号の記録動作が引き続き行われている場合、つまり、図３におけるステップＳ８０５においてｎｏと判断された場合、上記リードアウト領域の最内周位置（図７に示す光ディスクの場合、直径１１６ｍｍの位置）から内周方向（図７に示す光ディスクにおける主情報記録領域内）に向かってリードアウトを示す副情報信号を順次記録するように構成してもよい。主情報信号の情報量が主情報記録領域（図７に示す光ディスクの場合、直径４８ｍｍ乃至１１６ｍｍ）の記録容量よりも少ない場合に、主情報記録領域の未記録部分に副情報信号を記録する必要があるが、上記構成によれば、主情報信号の記録動作に関わる空き時間に副情報信号が主情報記録領域の外周側から記録されているので、その分だけ主情報信号を記録した後の残りの記録領域が小さくなり副情報信号を記録する時間が短縮されることとなる。
【図面の簡単な説明】
【００９３】
【図１】本願の実施形態の情報記録装置の概要構成を示すブロック図である。
【図２】本願の実施形態の情報記録装置の情報記録動作を示すフローチャートである。
【図３】図２に示す情報記録処理ステップＳ８の具体的な処理動作を示すフローチャートである。
【図４】図１の記録バッファメモリ６の蓄積データ量の変化を示す図である。
【図５】図２に示す情報再生処理ステップＳ１０の具体的な処理動作を示すフローチャートである。
【図６】図１の再生バッファメモリ１２の蓄積データ量の変化を示す図である。
【図７】光ディスクの信号領域の配置例を示す図である。
【符号の説明】
【００９４】
１    光ディスク
２    ピックアップ
３    スライダ
４    Ａ／Ｄコンバータ
５    圧縮回路
６    記録バッファメモリ
７    メモリ
８    エンコーダ
９    記録回路
１０    再生回路
１１    デコーダ
１２    再生バッファメモリ
１３    伸張回路
１４    Ｄ／Ａコンバータ
１５    アドレス抽出器
１６    スピンドルモータ
１７    ＣＰＵ
１８    サーボ回路
１９    操作部
２０    表示部
Ｂ    光ビーム
Ｓ    情報記録装置
Ｓin    情報信号
Ｓd    ディジタル情報信号
Ｓpd    圧縮情報信号
Ｓed    エンコード信号
Ｓr    記録信号
Ｓp    検出信号
Ｓdd    デコード信号
Ｓo    伸張信号
Ｓout    出力信号
Ｓmr、Ｓmp    データ量信号
Ｓc    指示信号
Ｓ１、Ｓ２、Ｓ３、Ｓ４、Ｓ５、Ｓ６、Ｓ７、Ｓ８、Ｓ９    制御信号
Ｓsp    ピックアップ制御信号
Ｓsm    スピンドル制御信号
Ｓdp    表示信号
【図１】
2007242229.tif 000003
【図２】
2007242229.tif 000004
【図３】
2007242229.tif 000005
【図４】
2007242229.tif 000006
【図５】
2007242229.tif 000007
【図６】
2007242229.tif 000008
【図７】
2007242229.tif 000009